(57)【要約】【課題】座部の左右両側にステップを効率よく取り付けることができるステップ取付構造を得る。【解決手段】ステップ１４の側壁部３０の上端部３０Ａの前後方向中央部には、座部１２Ａの取付部５０と当接する壁面に上向きに突出するフック部３８が設けられている。側壁部３０のフック部３８の前後方向両側には、係合突起４０が突設されている。係合突起４０は軸体４０Ａとその先端の鍔部４０Ｂとを備えており、軸体４０Ａ及び鍔部４０Ｂは下方側に開口するように逆Ｕ字状に形成されている。フック部３８は座部１２Ａの取付部５０に形成された取付口５４に下から上へ回し込むように差し込んで取付口５４の口縁部に係止させる。フック部３８が取付口５４の口縁部に係止されたときに、係合突起４０の鍔部４０Ｂが取付部５０に形成された孔部５６の裏面に係合される。【選択図】図６
2011084210.tif 000002
【特許請求の範囲】
【請求項１】
子供が着座可能な座部の幅方向両側に設けられ、前記座部に着座した子供の足が載置されるステップを取り付けるための取付部と、
前記ステップの上端部に設けられ、前記取付部に形成された係止部に差し込んで前記係止部回りに前記ステップを回転させると係止される被係止部と、
前記ステップの前記取付部と対向する壁面に設けられ、前記被係止部が前記係止部に係止されたときに前記取付部に形成された係合部に係合される被係合部と、
を有するステップ取付構造。
【請求項２】
前記係止部は、前記取付部に形成された取付口であり、
前記被係止部は、前記ステップの前記上端部から突設され前記取付口へ差し込まれる基部と、前記基部から上向きに突出し、前記取付口の口縁部に係止されるフック部と、を備える請求項１に記載のステップ取付構造。
【請求項３】
前記係合部は、前記取付部に形成された孔部であり、
前記被係合部は、前記ステップの前記壁面から突出された軸体と、前記軸体の先端部から拡巾し前記孔部の裏面に当たる鍔部と、を備える請求項１又は請求項２に記載のステップ取付構造。
【請求項４】
前記被係合部は前記取付部よりも柔らかい材料で形成されている請求項３に記載のステップ取付構造。
【請求項５】
前記孔部は下部の孔壁に平坦面を備え、
前記軸体は前記平坦面に面接触する当接面を備える請求項３又は請求項４に記載のステップ取付構造。
【請求項６】
前記係止部の両側に前記係合部が設けられている請求項１から請求項５までのいずれか１項に記載のステップ取付構造。
【請求項７】
前記ステップの前記壁面が締結具で前記取付部に固定されている請求項１から請求項６までのいずれか１項に記載のステップ取付構造。
【請求項８】
前記係止部及び前記係合部が前記取付部の上下方向に複数設けられている請求項１から請求項７までのいずれか１項に記載のステップ取付構造。
【請求項９】
請求項１から請求項８までのいずれか１項に記載のステップ取付構造を備えた子供用座席装置。
【請求項１０】
二輪車本体に請求項９に記載の子供用座席装置が取り付けられている二輪車。
【発明の詳細な説明】
【技術分野】
【０００１】
本発明は、ステップ取付構造、このステップ取付構造を備えた子供用座席装置及び二輪車に関する。
【背景技術】
【０００２】
従来、自転車等に取り付けられる子供用座席装置では、子供が着座する座部の左右両側に子供の左右の足を載せるステップを設けたものが知られている。
【０００３】
下記特許文献１には、座部の左右両側に左右一対の支持板が下方に突設されており、ステップの内方に突出した係合片を支持板の係止孔に挿通してステップを支持板に対して後方にスライドさせることによって、係合片を係止孔に係合させる構成が開示されている。
【先行技術文献】
【特許文献】
【０００４】
【特許文献１】特開２００７−１２５９９２号公報
【発明の概要】
【発明が解決しようとする課題】
【０００５】
上記特許文献１では、ステップの内方に突出した係合片を支持板の係止孔に挿通する工程と、ステップを支持板に対して後方にスライドさせる工程の２工程が必要であり、ステップの取り付け作業を効率化する点で改善の余地がある。
【０００６】
本発明は、上記問題点に鑑みてなされたものであり、座部の左右両側にステップを効率よく取り付けることができ、しかも不用意に外れることが無いステップ取付構造、子供用座席装置及び二輪車を提供することを目的とする。
【課題を解決するための手段】
【０００７】
上記課題を解決するために、請求項１に記載の発明に係るステップ取付構造は、子供が着座可能な座部の幅方向両側に設けられ、前記座部に着座した子供の足が載置されるステップを取り付けるための取付部と、前記ステップの上端部に設けられ、前記取付部に形成された係止部に差し込んで前記係止部回りに前記ステップを回転させると係止される被係止部と、前記ステップの前記取付部と対向する壁面に設けられ、前記被係止部が前記係止部に係止されたときに前記取付部に形成された係合部に係合される被係合部と、を有している。
【０００８】
請求項１に記載の発明によれば、子供が着座可能な座部の幅方向両端部に係止部と係合部が形成された取付部が設けられており、ステップの上端部に設けられた被係止部を取付部の係止部に差し込んで係止部回りにステップを回転させると、被係止部が取付部の係止部に係止される。被係止部が係止部に係止されたときに、ステップの取付部と対向する壁面に設けられた被係合部が取付部の係合部に係合される。このため、被係止部を係止部に差し込んだ後、被係止部を取付部に対してスライドさせる必要がなく、ステップを座部の取付部に効率よく取り付けることができる。また、ステップの上端部に設けられた被係止部を取付部の係止部に差し込んで係止部回りにステップを回転させて被係止部を取付部の係止部に係止させ、被係合部を取付部の係合部に係合させるので、ステップが不用意に外れることが無い。
【０００９】
請求項２に記載の発明は、請求項１に記載のステップ取付構造において、前記係止部は、前記取付部に形成された取付口であり、前記被係止部は、前記ステップの前記上端部から突設され前記取付口へ差し込まれる基部と、前記基部から上向きに突出し、前記取付口の口縁部に係止されるフック部と、を備えるものである。
【００１０】
請求項２に記載の発明によれば、被係止部は、ステップの上端部から突設され取付口へ差し込まれる基部と、基部から上向きに突出したフック部とを備えており、ステップの上端部の基部から上向きに突出するフック部を取付部の取付口に下から上に回し込むように差し込み、フック部を取付口の口縁部に係止させる。このため、フック部の取付口への差し込みによる一連の動作により、ステップを座部の取付部に効率よく取り付けることができる。また、ステップの上端部の基部から上向きに突出するフック部を取付口の口縁部に係止させるので、ステップを取付部から離れる方向に持ち上げなければフック部が取付口の口縁部から外れず、フック部の取付口からの抜けを阻止することができる。
【００１１】
請求項３に記載の発明は、請求項１又は請求項２に記載のステップ取付構造において、前記係合部は、前記取付部に形成された孔部であり、前記被係合部は、前記ステップの前記壁面から突出された軸体と、前記軸体の先端部から拡巾し前記孔部の裏面に当たる鍔部と、を備えるものである。
【００１２】
請求項３に記載の発明によれば、被係合部は、ステップの壁面から突出した軸体と、軸体の先端部から拡巾した鍔部と、を備えており、鍔部が取付部の孔部に差し込まれると、鍔部が孔部の裏面に当たることで鍔部が孔部の裏面に係合される。このため、被係止部が取付部の係止部に係止される途中で、鍔部が取付部の孔部に差し込まれ、被係止部が取付部の係止部に係止されたときに鍔部が孔部の裏面に係合されることにより、ステップを座部の取付部に効率よく取り付けることができる。
【００１３】
請求項４に記載の発明は、請求項３に記載のステップ取付構造において、前記被係合部は前記取付部よりも柔らかい材料で形成されているものである。
【００１４】
請求項４に記載の発明によれば、被係合部は取付部よりも柔らかい材料で形成されており、被係合部の鍔部が取付部の孔部に差し込まれたときにスリットの狭まる方向に弾性変形しやすく、鍔部が孔部の裏面にスムーズに係合される。
【００１５】
請求項５に記載の発明は、請求項３又は請求項４に記載のステップ取付構造において、前記孔部は下部の孔壁に平坦面を備え、前記軸体は前記平坦面に面接触する当接面を備えるものである。
【００１６】
請求項５に記載の発明によれば、孔部は下部の孔壁に平坦面を備えており、鍔部が孔部の裏面に係合されたときに、軸体の当接面が平坦面に面接触する。このため、ステップの荷重を軸体の当接面と面接触する平坦面で受けることができる。
【００１７】
請求項６に記載の発明は、請求項１から請求項５までのいずれか１項に記載のステップ取付構造において、前記係止部の両側に前記係合部が設けられているものである。
【００１８】
請求項６に記載の発明によれば、係止部の両側に係合部が設けられており、ステップの被係止部が係止部に係止されると共に、係止部の両側でステップの被係合部が係合部に係合される。このため、ステップの取り付け状態が安定化し、ステップのガタつきが抑制される。
【００１９】
請求項７に記載の発明は、請求項１から請求項６までのいずれか１項に記載のステップ取付構造において、前記ステップの前記壁面が締結具で前記取付部に固定されているものである。
【００２０】
請求項７に記載の発明によれば、ステップの壁面が締結具で取付部に固定されており、ステップが取付部に強固に固定されると共に、ステップの荷重を締結具で受けることができる。
【００２１】
請求項８に記載の発明は、請求項１から請求項７までのいずれか１項に記載のステップ取付構造において、前記係止部及び前記係合部が前記取付部の上下方向に複数設けられているものである。
【００２２】
請求項８に記載の発明によれば、係止部及び係合部が取付部の上下方向に複数設けられており、ステップの被係止部を係止させる係止部と、ステップの被係合部を係合させる係合部の上下方向の位置を変更可能である。これによって、取付部に取り付けられるステップの高さを調整することができる。
【００２３】
請求項９に記載の発明に係る子供用座席装置は、請求項１から請求項８までのいずれか１項に記載のステップ取付構造を備えるものである。
【００２４】
請求項９に記載の発明によれば、請求項１から請求項８までのいずれか１項に記載のステップ取付構造を備えており、ステップを座部の取付部に効率よく取り付けることができる。
【００２５】
請求項１０に記載の発明に係る二輪車は、二輪車本体に請求項９に記載の子供用座席装置が取り付けられているものである。
【００２６】
請求項１０に記載の発明によれば、二輪車本体に請求項９に記載の子供用座席装置が取り付けられており、ステップを座部の取付部に効率よく取り付けることができる。
【発明の効果】
【００２７】
本発明によれば、座部の左右両側にステップを効率よく取り付けることができ、しかも不用意に外れることが無い。
【図面の簡単な説明】
【００２８】
【図１】本発明の一実施形態であるステップ取付構造を備えた子供用座席装置の前方側を示す斜視図である。
【図２】本発明の一実施形態であるステップ取付構造を備えた子供用座席装置の後方側を示す斜視図である。
【図３】図１に示す子供用座席装置に用いられる左足用のステップを幅方向外側から見た斜視図である。
【図４】図１に示す子供用座席装置に用いられる左足用のステップを幅方向内側から見た斜視図である。
【図５】図１に示す子供用座席装置に用いられる左足用のステップの平面図である。
【図６】図１に示す子供用座席装置に用いられる左足用のステップの側面図である。
【図７】ステップの係合突起を拡大して示す図である。
【図８】図１に示す子供用座席装置に用いられる左足用のステップを幅方向内側から見た斜視図である。
【図９】図１に示す子供用座席装置に用いられる子供用座席装置本体を示す斜視図である。
【図１０】図９に示す子供用座席装置本体の取付部を幅方向内側から見た図である。
【図１１】ステップを子供用座席装置本体の取付部に取り付ける過程を示す図である。
【図１２】ステップを子供用座席装置本体の取付部に取り付ける過程を示すフック部付近の断面図である。
【図１３】ステップを子供用座席装置本体の取付部に取り付ける過程を示すフック部付近の断面図である。
【図１４】ステップを子供用座席装置本体の取付部に取り付けた状態を示すフック部付近の断面図である。
【図１５】ステップを子供用座席装置本体の取付部に取り付けた状態を示す係合突起付近の断面図である。
【図１６】ステップを子供用座席装置本体の取付部に取り付けた状態を幅方向内側から見た図である。
【発明を実施するための形態】
【００２９】
以下、図１〜図１６を用いて、本発明の一実施形態であるステップ取付構造を備えた子供用座席装置について説明する。
【００３０】
図１には、本発明の一実施形態であるステップ取付構造を備えた子供用座席装置が斜視図にて示されている。また、図２には子供用座席装置が背面図にて示されている。これらの図に示されるように、子供用座席装置１０は、二輪車の後方側の荷台に取り付けられる子供用座席装置本体１２（座席本体）を備えている。子供用座席装置本体１２は、子供が着席可能な座部１２Ａと、この座部１２Ａの後端部から上方側に起立するように延びた背凭れ部１２Ｂと、を備えている。背凭れ部１２Ｂは、座部１２Ａに着席した子供の背中を支持するように両サイドが前方側に突出した湾曲形状に形成されている。座部１２Ａの両側には、座部１２Ａから垂下されて子供の左右の足が載置される左足用のステップ１４と右足用のステップ１５が設けられている。座部１２Ａの前端部には、子供の前方側をガードするループ状のハンドル部１６が立設されている。ハンドル部１６を設けることで、座部１２Ａに子供が着座したときにハンドル部１６を握って自身の身体を支えることができ、子供に安心感を与えることができる。なお、子供用座席装置１０は、二輪車の前方側のハンドル部に取り付けてもよい。
【００３１】
子供用座席装置本体１２の背凭れ部１２Ｂの上部には、座部１２Ａに着席した子供の頭部を保護するヘッドガード２２を備えたヘッドガードユニット２０が設けられている。ヘッドガード２２は、座部１２Ａに着席した子供の後頭部と対向する後壁部２２Ａと、後壁部２２Ａから子供の側頭部に沿って両サイド側に湾曲するように延びた翼部２２Ｂと、後壁部２２Ａの中央部から下方側に延びた支持脚２２Ｃと、を備えている。ヘッドガードユニット２０には、ヘッドガード２２の支持脚２２Ｃを背凭れ部１２Ｂに沿って上下方向にスライドさせて所定の位置で固定する高さ調整装置２４が設けられており、この高さ調整装置２４によりヘッドガード２２の高さが調整可能となっている。なお、座部１２Ａにはクッションマットが敷かれている。
【００３２】
座部１２Ａに着座した子供の左右の足が載置される左足用のステップ１４と右足用のステップ１５は、子供用座席装置本体１２に着脱可能に取り付けられている。左足用のステップ１４と右足用のステップ１５は左右対称であるので、ここでは左足用のステップ１４について説明する。図３〜図６に示されるように、左足用のステップ１４は、座部１２Ａの両サイドに垂下される側壁部３０と、側壁部３０の下端部から幅方向外側（座部１２Ａの取り付け位置に対して左右方向外側）に突出した足載置部３２と、側壁部３０の前後方向前端部から幅方向外側に突出した前方側ガード部３４と、側壁部３０の前後方向後端部から幅方向外側に突出した後方側ガード部３６と、を備えている。前方側ガード部３４と足載置部３２と後方側ガード部３６とは連続して形成されている。
【００３３】
側壁部３０の上端部３０Ａの前後方向中央部（座部１２Ａの取り付け位置に対して前後方向中央部）には、ステップ１４の幅方向内側（座部１２Ａの取り付け位置に対して左右方向内側）に上向きに突出するように被係止部としてのフック部３８が形成されている。フック部３８は、側壁部３０の壁面に対して直交する方向に突設された基部３８Ａと、基部３８Ａの先端に基部３８Ａに対して直交する方向に突出した突出部３８Ｂと、を備えている。突出部３８Ｂの先端には、幅方向両側の角部を切り欠いたテーパ面３８Ｃが形成されている。突出部３８Ｂの先端のテーパ面３８Ｃにより、フック部３８を後述する取付口５４に差し込みやすくなる。
【００３４】
側壁部３０のフック部３８よりやや下方の前後方向両側（座部１２Ａの取り付け位置に対して前後方向両側）には、ステップ１４の幅方向内側に突出する被係合部としての係合突起４０が設けられている。係合突起４０は、側壁部３０の壁面に対して直交する方向に突出する軸体４０Ａと、軸体４０Ａの先端に軸体４０Ａから拡巾するように形成された鍔部４０Ｂと、を備えている。図４及び図７等に示されるように、軸体４０Ａ及び鍔部４０Ｂは、下方側に開口するように逆Ｕ字状に形成されており、軸体４０Ａ及び鍔部４０Ｂの両端部に前後方向に沿ってほぼ水平に配置された当接面としての下面部４０Ｃが設けられている。軸体４０Ａ及び鍔部４０Ｂの上部には軸方向に沿ってスリット４０Ｄが形成されている。軸体４０Ａ及び鍔部４０Ｂは、両端の下面部４０Ｃの間隙とスリット４０Ｄが狭まる方向に弾性変形する構成となっている。
【００３５】
図４に示されるように、ステップ１４の側壁部３０の後端上部には、幅方向内側に突出する円形状の突出部４２が形成されており、突出部４２に締結具としてのボルト６２（図１参照）が挿通される貫通孔４４が設けられている。
【００３６】
右足用のステップ１５は、図示を省略するが、図４及び図８に示す左足用のステップ１４と左右対象に形成されており、左足用のステップ１４と同様に、側壁部３０の上端部３０Ａの前後方向中央部にステップ１５の幅方向内側に上向きに突出する被係止部としてのフック部３８と、側壁部３０のフック部３８よりやや下方の前後方向両側にステップ１５の幅方向内側に突出する被係合部としての係合突起４０と、を備えている。
【００３７】
図９に示されるように、子供用座席装置本体１２の座部１２Ａの両サイドには、座部１２Ａの幅方向両端部から下方側に突設された板状の取付部５０が設けられている。取付部５０の前後方向後端部には、取付部５０と直交するように子供用座席装置本体１２の幅方向外側に突出した板状の突出部５２が設けられている。突出部５２は、背凭れ部１２Ｂの幅方向両側の下端部と連続して形成されている。取付部５０及び突出部５２は左右対称に形成されている。座部１２Ａの両サイドの取付部５０には、それぞれ左足用のステップ１４と右足用のステップ１５の側壁部３０が取り付けられるようになっており、左足用のステップ１４と右足用のステップ１５の取り付け時に後方側ガード部３６の上端部が突出部５２の前面に接触している（図１参照）。
【００３８】
取付部５０の構成は左右対称であるので、ここでは、左足用のステップ１４が取り付けられる取付部５０について説明する。図９及び図１０に示されるように、取付部５０の前後方向中間部には、ステップ１４のフック部３８が係止される係止部としての取付口５４と、取付口５４の前後方向両側にステップ１４の係合突起４０が係合される係合部としての孔部５６と、が設けられている。取付口５４は略長方形状に形成されており、ステップ１４のフック部３８は、取付部５０の取付口５４に下から上に回し込むように差し込まれ、フック部３８の突出部３８Ｂが取付部５０の取付口５４の口縁部に係止されるようになっている。ステップ１４の係合突起４０の鍔部４０Ｂは、フック部３８が取付部５０の取付口５４の口縁部に係止されたときに、取付部５０の孔部５６の裏面に係合されるようになっている。
【００３９】
孔部５６の下部の孔壁には、子供用座席装置本体１２の前後方向に沿ってほぼ水平に形成された平坦な面からなる平面部５６Ａが設けられている。係合突起４０の鍔部４０Ｂが孔部５６の裏面に係合されたときに、係合突起４０の両端の当接面としての下面部４０Ｃが孔部５６の平面部５６Ａに面接触する。これによって、ステップ１４の荷重を係合突起４０の両端の下面部４０Ｃが面接触する孔部５６の平面部５６Ａで受けることができる。
【００４０】
取付部５０の幅方向外側の後端上部には、ステップ１４のフック部３８が取付部５０の取付口５４の口縁部に係止されると共に、ステップ１４の係合突起４０の鍔部４０Ｂが取付部５０の孔部５６の裏面に係合されたときに、ステップ１４の突出部４２が嵌まり込む円形の凹状部５８が設けられている。凹状部５８には、突出部４２の貫通孔４４と合致する位置に貫通孔６０が形成されている。貫通孔４４、貫通孔６０にボルト６２（図１参照）を挿通して図示しないナットと螺合することで、ステップ１４が取付部５０に固定されるようになっている。
【００４１】
取付部５０の上下方向には、取付口５４、この取付口５４の前後方向両側の孔部５６、及び凹状部５８が２列設けられている。ステップ１４のフック部３８及び係合突起４０を上下方向のどちらの取付口５４及び孔部５６に挿入するかを選択することで、子供の成長や体格に合わせてステップ１４の高さを調整することができる。
【００４２】
本実施形態では、ステップ１４のフック部３８と子供用座席装置本体１２の取付部５０は樹脂で形成されている。また、係合突起４０は、取付部５０よりも柔らかい特性の樹脂で形成されている。係合突起４０を取付部５０よりも柔らかい材料で形成することで、係合突起４０の鍔部４０Ｂが両端の下面部４０Ｃの間隙及びスリット４０Ｄを狭める方向に弾性変形し、取付部５０の孔部５６の裏面に係合されやすくなる。
【００４３】
図１５に示されるように、係合突起４０の軸体４０Ａには、鍔部４０Ｂと反対側にフランジ部４０Ｆが形成されている。ステップ１４の側壁部３０には、係合突起４０の軸体４０Ａが挿通される孔部４６が設けられており、孔部４６の幅方向外側に孔部４６の径が拡径された段差部４６Ａが形成されている。係合突起４０の軸体４０Ａが側壁部３０の孔部４６に挿通され、段差部４６Ａにフランジ部４０Ｆが係止されることで、側壁部３０に係合突起４０が取り付けられている。また、係合突起４０はステップ１４を成形するときにインサート成形しても良いし、係合突起４０は、取付部５０の孔部５６に取付可能な程度に弾性変形でき、ステップ１４としても問題の無い材料であれば、ステップと一体に成形しても良い。
【００４４】
次に、本実施形態の子供用座席装置１０の作用であって、ステップの取付構造について説明する。左足用のステップ１４と右足用のステップ１５は左右対称で取付構造は同じであるので、ここでは、左足用のステップ１４を例として説明する。
【００４５】
図１１及び図１２に示されるように、子供用座席装置本体１２の取付部５０にステップ１４を取り付ける際には、ステップ１４のフック部３８を取付部５０の取付口５４に下から上に回し込むように差し込み、ステップ１４の側壁部３０を取付部５０の方向に回動させる。図１３に示されるように、フック部３８を取付部５０の取付口５４に下から上に回し込むように差し込む途中で、ステップ１４の側壁部３０に設けられた係合突起４０を取付部５０の孔部５６に差し込む。そして、図１４に示されるように、ステップ１４の側壁部３０が取付部５０に接触するまでフック部３８を取付部５０の取付口５４に差し込むと（フック部３８を取付部５０の取付口５４に最後まで挿入すると）、ステップ１４のフック部３８が取付部５０の取付口５４の口縁部に係止され、これとほぼ同時に図１５に示されるように係合突起４０の鍔部４０Ｂが取付部５０の孔部５６の裏面に係合される。係合突起４０の鍔部４０Ｂは、取付部５０の孔部５６に差し込まれる過程で両端の下面部４０Ｃの間隙及びスリット４０Ｄを狭める方向に弾性変形し、その弾性復元力により取付部５０の孔部５６の裏面に係合される。これによって、ステップ１４を一連のフック部３８と係合突起４０の差し込みによる１ステップ（１工程）で座部１２Ａの取付部５０に効率よく取り付けることができる。
【００４６】
また、ステップ１４のフック部３８が取付部５０の取付口５４の口縁部に係止されると共に、ステップ１４の係合突起４０の鍔部４０Ｂが取付部５０の孔部５６の裏面に係合されたときに、ステップ１４の側壁部３０の後端上部に設けられた突出部４２が取付部５０の凹状部５８に嵌まり込む。この状態で、突出部４２の貫通孔４４と凹状部５８の貫通孔６０が合致し、貫通孔４４及び貫通孔６０にボルト６２を挿入して図示しないナットと螺合させることで、ステップ１４が取付部５０に固定される。
【００４７】
このような子供用座席装置１０では、ステップ１４の側壁部３０の上端部３０Ａに上向きのフック部３８を設けたので、取付部５０の取付口５４の口縁部に係止させる際に、従来技術のようにステップ１４を前後方向にスライドさせる必要がなく、また、取付口５４をスライド長さを含んだ長孔にする必要がない。例えば、ステップ１４の側壁部３０に下向きのフック部を設けると、フック部を係止孔に挿入した後、スライドさせるか、スライドさせないためにはフック部をステップ１４の側壁部３０の下端に設ける必要がある。また、本実施形態では、ステップ１４のフック部３８と取付部５０の取付口５４の上下方向のクリアランスを小さくすることで、下向きの荷重が付与されていればフック部３８が取付部５０の取付口５４から抜けることはない。なぜなら、ステップ１４のフック部３８を取付部５０の取付口５４から抜くためには、ステップ１４の側壁部３０を幅方向外側に広げるように所定の角度持ち上げる必要があるからである。
【００４８】
また、係合突起４０を取付部５０よりも柔らかい材料で形成することで、係合突起４０の鍔部４０Ｂが両端の下面部４０Ｃの間隙及びスリット４０Ｄを狭める方向に弾性変形しやすい。これによって、フック部３８を取付部５０の取付口５４に下から上に回し込むように差し込んで取付口５４の口縁部に係止させるときに、係合突起４０の鍔部４０Ｂが取付部５０の孔部５６に差し込まれて下面部４０Ｃの間隙及びスリット４０Ｄを狭める方向に弾性変形し、係合突起４０の鍔部４０Ｂをスムーズに取付部５０の孔部５６の裏面に係合させることができる。
【００４９】
また、孔部５６の下部には、子供用座席装置本体１２の前後方向に沿ってほぼ水平に平面部５６Ａが形成されており、係合突起４０の鍔部４０Ｂが孔部５６の裏面に係合されたときに、係合突起４０の両端の下面部４０Ｃが孔部５６の平面部５６Ａに面接触する。このため、ステップ１４の荷重を係合突起４０の下面部４０Ｃが面接触する孔部５６の平面部５６Ａで受けることができ、ステップ１４を安定化させることができる。
【００５０】
さらに、ステップ１４のフック部３８が取付部５０の取付口５４の口縁部に係止され、フック部３８の前後方向両側の２箇所の係合突起４０の鍔部４０Ｂが取付部５０の孔部５６の裏面に係合されるため、ステップ１４が安定化し、ステップ１４のガタつきを抑制することができる。
【００５１】
さらにまた、ステップ１４の側壁部３０の突出部４２が取付部５０の凹状部５８に嵌まり込むことで、ステップ１４のガタつきがさらに抑制されると共に、貫通孔４４及び貫通孔６０にボルト６２（図１参照）を挿入して図示しないナットと螺合させることで、ステップ１４を取付部５０に強固に固定することができる。さらに、ステップ１４の荷重を突出部４２が嵌まり込む凹状部５８とボルト６２で受けることができる。
【００５２】
仮にボルト６２が緩み脱落しても、係合突起４０の鍔部４０Ｂが取付部５０の孔部５６の裏面に係合されているため、その係合力によりステップ１４を取付部５０に保持することができる。さらに、係合突起４０の鍔部４０Ｂが取付部５０の孔部５６から外れた場合でも、上向きのフック部３８により取付部５０の取付口５４の口縁部に係止されているので、ステップ１４の側壁部３０を幅方向外側に広げるように所定の角度持ち上げなければフック部３８が取付口５４から外れず、ステップ１４の不用意な脱落を防止できる。
【００５３】
また、本実施形態では、ステップ１４のフック部３８を取付部５０の上方側の取付口５４の口縁部に係止させ、係合突起４０の鍔部４０Ｂを取付部５０の上方側の孔部５６の裏面に係合させたが、ステップ１４のフック部３８と係合突起４０を取付部５０の下方側の取付口５４と孔部５６に挿入してもよい。これによって、子供の成長や体格に合わせてステップ１４の高さを調整することができる。
【００５４】
なお、上記実施形態では、取付部５０に取付口５４及び孔部５６を上下方向に２列設けたが、これに限定されず、取付口５４及び孔部５６を上下方向に３列以上設けてもよい。これによって、ステップの高さを更に細かく調整することができる。
【００５５】
また、上記実施形態では、ステップの側壁部３０の前後方向中間部にフック部３８を設け、フック部３８の前後方向両側に係合突起４０を設けたが、フック部及び係合突起の位置及び個数はこれに限定されるものではない。フック部３８と係合突起４０を合わせてステップに２個以上設ける構成であれば、他の構成でもよい。
【００５６】
また、上記実施形態では、係合突起４０を下部側が開口する逆Ｕ字状に形成したが、これに限定されず、他の構成でもよい。例えば、係合突起を円筒としてもよいが、この構成ではステップの荷重を平面部５６Ａと接する線で受けることになる。このため、係合突起４０の下部に、孔部５６の平面部５６Ａにほぼ水平に当接する当接面（例えば、下に開いたコ字状、下部面を平坦とした形状など）を設けることが望ましい。これによって、ステップの荷重を平面で受けることができる。
【００５７】
さらに、上記実施形態では、ステップにフック部３８と係合突起４０を設け、取付部に取付口５４と孔部５６を設けたが、これに限定されず、例えば、ステップの上端部に取付口と孔部を設け、取付部の幅方向外側に上向きに突出するフック部と取付部の壁面から突出する係合突起を設けてもよい。これによって、ステップの取付口に取付部のフック部を差し込んでフック部回りにステップを回転させることで、フック部が取付口の口縁部に係止される。また、フック部が取付口の口縁部に係止される途中で、ステップの孔部に取付部の係合突起が挿入され、フック部が取付口の口縁部に係止されたときに、係合突起がステップの孔部の縁面に係合される構成とすることができる。
【符号の説明】
【００５８】
１０   子供用座席装置
１２Ａ 座部
１２   子供用座席装置本体
１４   ステップ
１５   ステップ
３０Ａ 上端部
３８   フック部（被係止部）
３８Ａ 基部
４０   係合突起（被係合部）
４０Ａ 軸体
４０Ｂ 鍔部
４０Ｃ 下面部（当接面）
４０Ｄ スリット
４２   突出部
４４   貫通孔
５０   取付部
５２   突出部
５４   取付口（係止部）
５６   孔部（係合部）
５６Ａ 平面部（平坦面）
５８   凹状部
６０   貫通孔
６２   ボルト（締結具）
【図１】
2011084210.tif 000003
【図２】
2011084210.tif 000004
【図３】
2011084210.tif 000005
【図４】
2011084210.tif 000006
【図５】
2011084210.tif 000007
【図６】
2011084210.tif 000008
【図７】
2011084210.tif 000009
【図８】
2011084210.tif 000010
【図９】
2011084210.tif 000011
【図１０】
2011084210.tif 000012
【図１１】
2011084210.tif 000013
【図１２】
2011084210.tif 000014
【図１３】
2011084210.tif 000015
【図１４】
2011084210.tif 000016
【図１５】
2011084210.tif 000017
【図１６】
2011084210.tif 000018